【手続補正書】
【提出日】平成29年4月11日(2017.4.11)
【手続補正１】
【補正対象書類名】特許請求の範囲
【補正対象項目名】全文
【補正方法】変更
【補正の内容】
【特許請求の範囲】
【請求項１】
アンテナ切替えをトリガするための方法であって、
整定時間を特定すること、前記整定時間は、前記アンテナ切替えの後に続く整定に起因する、受信の推定される遅延を備える、
を備え、
前記特定された整定時間に少なくとも部分的に基づいて、および、
現在のサブフレームの物理ダウンリンク制御チャネル（ＰＤＣＣＨ）を復号した後の、前記現在のサブフレームの残り時間と、
前記現在のサブフレームの前記ＰＤＣＣＨの継続時間の後の前記現在のサブフレームの残り時間と
のうちの少なくとも１つに基づいて、
前記アンテナ切替えを遅延させること
によって特徴付けられる方法。
【請求項２】
前記特定された整定時間は、前記現在のサブフレームの前記物理ダウンリンク制御チャネル（ＰＤＣＣＨ）を復号した後の、前記現在のサブフレームの前記残り時間よりも短い、請求項１に記載の方法。
【請求項３】
ダウンリンク制御情報（ＤＣＩ）を取り出すために前記ＰＤＣＣＨを復号することと、
物理ダウンリンク共有チャネル（ＰＤＳＣＨ）が前記現在のサブフレーム内にスケジュールされているかどうかを、前記取り出されたＤＣＩに少なくとも部分的に基づいて決定することと
をさらに備える請求項２に記載の方法。
【請求項４】
ＰＤＳＣＨが前記現在のサブフレーム内にスケジュールされていることを決定すると、前記現在のサブフレームの後に続く１つまたは複数のサブフレームまで前記アンテナ切替えを遅延させることをさらに備える請求項３に記載の方法。
【請求項５】
ＰＤＳＣＨが前記現在のサブフレーム内に存在しないことを決定すると、前記現在のサブフレーム中にアンテナを切り替えることをさらに備える請求項３に記載の方法。
【請求項６】
前記特定された整定時間は、前記現在のサブフレームの前記物理ダウンリンク制御チャネル（ＰＤＣＣＨ）を復号した後の、前記現在のサブフレームの前記残り時間よりも長い、請求項１に記載の方法。
【請求項７】
前記現在のサブフレームの前記ＰＤＣＣＨの継続時間を特定することと、
前記ＰＤＣＣＨの前記特定された継続時間の後に続いてアンテナを切り替えることと
をさらに備える請求項６に記載の方法。
【請求項８】
前記特定された整定時間は、前記現在のサブフレームの物理ダウンリンク制御チャネル（ＰＤＣＣＨ）の前記継続時間の後の、前記現在のサブフレームの前記残り時間よりも長い、請求項１に記載の方法。
【請求項９】
前記現在のサブフレームの先頭においてアンテナを切り替えることをさらに備える請求項８に記載の方法。
【請求項１０】
前記特定された整定時間は、前記現在のサブフレームの前記継続時間よりも長い、請求項１に記載の方法。
【請求項１１】
ダウンリンク制御情報（ＤＣＩ）を取り出すために、前記現在のサブフレームの物理ダウンリンク制御チャネル（ＰＤＣＣＨ）を復号することと、
物理ダウンリンク共有チャネル（ＰＤＳＣＨ）が前記現在のサブフレーム内にスケジュールされているかどうかを、前記取り出されたＤＣＩに少なくとも部分的に基づいて決定することと
をさらに備える請求項１０に記載の方法。
【請求項１２】
ＰＤＳＣＨが前記現在のサブフレーム内にスケジュールされていることを決定すると、前記現在のサブフレームの後に続く１つまたは複数のサブフレームまで前記アンテナ切替えを遅延させること、または
ＰＤＳＣＨが前記現在のサブフレーム内に存在しないことを決定すると、前記現在のサブフレーム中にアンテナを切り替えること
をさらに備える請求項１１に記載の方法。
【請求項１３】
前記整定時間は、
ハードウェアスイッチが整定するための時間、または
前記アンテナ切替えの後に続くチャネル状態で１つまたは複数の受信機ループが整定するための時間
を備える、請求項１に記載の方法。
【請求項１４】
アンテナ切替えをトリガするための装置であって、
整定時間を特定するための手段、前記整定時間は、前記アンテナ切替えの後に続く整定に起因する、受信の推定される遅延を備える、
を備え、
前記特定された整定時間に少なくとも部分的に基づいて、および、
現在のサブフレームの物理ダウンリンク制御チャネル（ＰＤＣＣＨ）を復号した後の、前記現在のサブフレームの残り時間と、
前記現在のサブフレームの前記ＰＤＣＣＨの継続時間の後の前記現在のサブフレームの残り時間と
のうちの少なくとも１つに基づいて、
前記アンテナ切替えを遅延させるための手段
によって特徴付けられる装置。
【請求項１５】
アンテナ切替えをトリガするためのコンピュータプログラム製品であって、プロセッサによって、請求項１から請求項１３のうちのいずれか一項に記載の方法を行うように実行可能な命令を記憶する非一時的コンピュータ可読媒体を備えるコンピュータプログラム製品。
【手続補正２】
【補正対象書類名】明細書
【補正対象項目名】０１２３
【補正方法】変更
【補正の内容】
【０１２３】
[0134]本開示についてのこれまでの説明は、当業者が本開示を構成または使用することができるように与えられる。本開示への様々な修正は当業者には容易に明らかであり、本明細書で定義された一般原理は、本開示の趣旨または範囲から逸脱することなく、他の変形形態に適用される場合がある。本開示全体にわたって、「例」または「例示的」という用語は、一例または一事例を示すものであり、言及された例についてのいかなる優先をも暗示することはなく、または要求することもない。したがって、本開示は、本明細書に記載された例および設計に限定されるべきでなく、本明細書で開示される原理および新規の特徴に合致する最も広い範囲を与えられるべきである。
以下に本願の出願当初の特許請求の範囲に記載された発明を付記する。
[Ｃ１]  アンテナ切替えをトリガするための方法であって、
整定時間を特定することと、前記整定時間は、前記アンテナ切替えの後に続く整定に起因する、受信の推定される遅延を備える、
前記特定された整定時間に少なくとも部分的に基づいて、前記アンテナ切替えを遅延させることとを備える方法。
[Ｃ２]  前記特定された整定時間は、現在のサブフレームの物理ダウンリンク制御チャネル（ＰＤＣＣＨ）を復号した後の、前記現在のサブフレームの残り時間よりも短い、Ｃ１に記載の方法。
[Ｃ３]  ダウンリンク制御情報（ＤＣＩ）を取り出すために前記ＰＤＣＣＨを復号することと、
物理ダウンリンク共有チャネル（ＰＤＳＣＨ）が前記現在のサブフレーム内にスケジュールされているかどうかを、前記取り出されたＤＣＩに少なくとも部分的に基づいて決定することとをさらに備えるＣ２に記載の方法。
[Ｃ４]  ＰＤＳＣＨが前記現在のサブフレーム内にスケジュールされていることを決定すると、前記現在のサブフレームの後に続く１つまたは複数のサブフレームまで前記アンテナ切替えを遅延させることをさらに備えるＣ３に記載の方法。
[Ｃ５]  ＰＤＳＣＨが前記現在のサブフレーム内に存在しないことを決定すると、前記現在のサブフレーム中にアンテナを切り替えることをさらに備えるＣ３に記載の方法。
[Ｃ６]  前記特定された整定時間は、現在のサブフレームの物理ダウンリンク制御チャネル（ＰＤＣＣＨ）を復号した後の、前記現在のサブフレームの残り時間よりも長い、Ｃ１に記載の方法。
[Ｃ７]  前記現在のサブフレームの前記ＰＤＣＣＨの継続時間を特定することと、
前記ＰＤＣＣＨの前記特定された継続時間の後に続いてアンテナを切り替えることとをさらに備えるＣ６に記載の方法。
[Ｃ８]  前記特定された整定時間は、現在のサブフレームの物理ダウンリンク制御チャネル（ＰＤＣＣＨ）の継続時間の後の、前記現在のサブフレームの残り時間よりも長い、Ｃ１に記載の方法。
[Ｃ９]  前記現在のサブフレームの先頭においてアンテナを切り替えることをさらに備えるＣ８に記載の方法。
[Ｃ１０]  前記特定された整定時間は、現在のサブフレームの継続時間よりも長い、Ｃ１に記載の方法。
[Ｃ１１]  ダウンリンク制御情報（ＤＣＩ）を取り出すために、前記現在のサブフレームの物理ダウンリンク制御チャネル（ＰＤＣＣＨ）を復号することと、
物理ダウンリンク共有チャネル（ＰＤＳＣＨ）が前記現在のサブフレーム内にスケジュールされているかどうかを、前記取り出されたＤＣＩに少なくとも部分的に基づいて決定することとをさらに備えるＣ１０に記載の方法。
[Ｃ１２]  ＰＤＳＣＨが前記現在のサブフレーム内にスケジュールされていることを決定すると、前記現在のサブフレームの後に続く１つまたは複数のサブフレームまで前記アンテナ切替えを遅延させることをさらに備えるＣ１１に記載の方法。
[Ｃ１３]  ＰＤＳＣＨが前記現在のサブフレーム内に存在しないことを決定すると、前記現在のサブフレーム中にアンテナを切り替えることをさらに備えるＣ１１に記載の方法。
[Ｃ１４]  前記整定時間は、
ハードウェアスイッチが整定するための時間、または
前記アンテナ切替えの後に続くチャネル状態で１つまたは複数の受信機ループが整定するための時間を備える、Ｃ１に記載の方法。
[Ｃ１５]  アンテナ切替えをトリガするための装置であって、
プロセッサと、
前記プロセッサと電子通信するメモリと、
前記メモリに記憶された命令とを備え、前記命令は、前記プロセッサによって、
整定時間を特定することと、前記整定時間は、前記アンテナ切替えの後に続く整定に起因する、受信の推定される遅延を備える、
前記特定された整定時間に少なくとも部分的に基づいて、前記アンテナ切替えを遅延させることとを行うように実行可能である、装置。
[Ｃ１６]  前記特定された整定時間は、現在のサブフレームの物理ダウンリンク制御チャネル（ＰＤＣＣＨ）を復号した後の、前記現在のサブフレームの残り時間よりも短い、Ｃ１５に記載の装置。
[Ｃ１７]  前記命令は、前記プロセッサによって、
ダウンリンク制御情報（ＤＣＩ）を取り出すために前記ＰＤＣＣＨを復号することと、
物理ダウンリンク共有チャネル（ＰＤＳＣＨ）が前記現在のサブフレーム内にスケジュールされているかどうかを、前記取り出されたＤＣＩに少なくとも部分的に基づいて決定することとを行うようにさらに実行可能である、Ｃ１６に記載の装置。
[Ｃ１８]  前記命令は、前記プロセッサによって、
ＰＤＳＣＨが前記現在のサブフレーム内にスケジュールされていることを決定すると、前記現在のサブフレームの後に続く１つまたは複数のサブフレームまで前記アンテナ切替えを遅延させることを行うようにさらに実行可能である、Ｃ１７に記載の装置。
[Ｃ１９]  前記命令は、前記プロセッサによって、
ＰＤＳＣＨが前記現在のサブフレーム内に存在しないことを決定すると、前記現在のサブフレーム中にアンテナを切り替えることを行うようにさらに実行可能である、Ｃ１７に記載の装置。
[Ｃ２０]  前記特定された整定時間は、現在のサブフレームの物理ダウンリンク制御チャネル（ＰＤＣＣＨ）を復号した後の、前記現在のサブフレームの残り時間よりも長い、Ｃ１５に記載の装置。
[Ｃ２１]  前記命令は、前記プロセッサによって、
前記現在のサブフレームの前記ＰＤＣＣＨの継続時間を特定することと、
前記ＰＤＣＣＨの前記特定された継続時間の後に続いてアンテナを切り替えることとを行うようにさらに実行可能である、Ｃ２０に記載の装置。
[Ｃ２２]  前記特定される整定時間は、前記現在のサブフレームの物理ダウンリンク制御チャネル（ＰＤＣＣＨ）の継続時間の後の、現在のサブフレームの残り時間よりも長く、ここにおいて、前記命令は、前記プロセッサによって、
現在のサブフレームの先頭においてアンテナを切り替えることを行うようにさらに実行可能である、Ｃ１５に記載の装置。
[Ｃ２３]  前記プロセッサに動作可能に接続された少なくとも１つのスイッチと、
前記少なくとも１つのスイッチに動作可能に接続された少なくとも１つのアンテナと、
前記少なくとも１つのスイッチに動作可能に接続された少なくとも１つの受信チェーンと、
前記少なくとも１つのスイッチに動作可能に接続された少なくとも１つの送信チェーンとをさらに備えるＣ１５に記載の装置。
[Ｃ２４]  前記特定される整定時間は、現在のサブフレームの継続時間よりも長い、Ｃ１５に記載の装置。
[Ｃ２５]  前記命令は、前記プロセッサによって、
ダウンリンク制御情報（ＤＣＩ）を取り出すために、前記現在のサブフレームの物理ダウンリンク制御チャネル（ＰＤＣＣＨ）を復号することと、
物理ダウンリンク共有チャネル（ＰＤＳＣＨ）が前記現在のサブフレーム内にスケジュールされているかどうかを、前記取り出されたＤＣＩに少なくとも部分的に基づいて決定することとを行うようにさらに実行可能である、Ｃ２４に記載の装置。
[Ｃ２６]  前記命令は、前記プロセッサによって、
ＰＤＳＣＨが前記現在のサブフレーム内にスケジュールされていることを決定すると、前記現在のサブフレームの後に続く１つまたは複数のサブフレームまで前記アンテナ切替えを遅延させることを行うようにさらに実行可能である、Ｃ２５に記載の装置。
[Ｃ２７]  前記命令は、前記プロセッサによって、
ＰＤＳＣＨが前記現在のサブフレーム内に存在しないことを決定すると、前記現在のサブフレーム中にアンテナを切り替えることを行うように実行可能である、Ｃ２５に記載の装置。
[Ｃ２８]  前記整定時間は、
ハードウェアスイッチが整定するための時間、または
前記アンテナ切替えの後に続くチャネル状態で１つまたは複数の受信機ループが整定するための時間を備える、Ｃ１５に記載の装置。
[Ｃ２９]  アンテナ切替えをトリガするための装置であって、
整定時間を特定するための手段と、前記整定時間は、前記アンテナ切替えの後に続く整定に起因する、受信の推定される遅延を備える、
前記特定された整定時間に少なくとも部分的に基づいて、前記アンテナ切替えを遅延させるための手段とを備える装置。
[Ｃ３０]  アンテナ切替えをトリガするためのコンピュータプログラム製品であって、プロセッサによって、
整定時間を特定することと、前記整定時間は、前記アンテナ切替えの後に続く整定に起因する、受信の推定される遅延を備える、
前記特定された整定時間に少なくとも部分的に基づいて、前記アンテナ切替えを遅延させることとを行うように実行可能な命令を記憶する非一時的コンピュータ可読媒体を備えるコンピュータプログラム製品。